(57)【要約】【課題】杭基礎構造を有し、液化水素のような超低温の液体を万ｋＬオーダーの大量であっても好適に貯蔵することが可能な低温液体貯蔵用タンクを提供する。【解決手段】低温液体を貯蔵する内槽２と、内槽を囲繞して内包するように配設される外槽３と、内槽と外槽の間に設けられる真空断熱層４とを備え、且つ、外槽が、コンクリート部６と、コンクリート部の表面に一体に不透気材を設けてなるライナー部７とを備えるとともに、ライナー部をコンクリート部の真空断熱層と反対側の外面側に配設して構成され、外槽の底版８の下方および側方に、底版を囲繞する支持底版２１が設けられ、支持底版は、杭基礎１０を介して構築されている。【選択図】図１
2019199949.tif 000002
【特許請求の範囲】
【請求項１】
低温液体を貯蔵する内槽と、
内槽を囲繞して内包するように配設される外槽と、
前記内槽と前記外槽の間に設けられる真空断熱層とを備え、
且つ、前記外槽が、コンクリート部と、該コンクリート部の表面に一体に不透気材を設けてなるライナー部とを備えるとともに、前記ライナー部を前記コンクリート部の前記真空断熱層と反対側の外面側に配設して構成され、
前記外槽の底版の下方および側方に、該底版を囲繞する支持底版が設けられ、
前記支持底版は、杭基礎を介して構築されていることを特徴とする低温液体貯蔵用タンク。
【請求項２】
請求項１記載の低温液体貯蔵用タンクにおいて、
前記不透気材が鋼板であることを特徴とする低温液体貯蔵用タンク。
【発明の詳細な説明】
【技術分野】
【０００１】
本発明は、液化水素などの低温液体の貯蔵に用いられる低温液体貯蔵用タンクに関する。
【背景技術】
【０００２】
従来、液化天然ガス（ＬＮＧ）、液化石油ガス（ＬＰＧ）等の低温液体を貯蔵するためのタンクとして、内槽と外槽を有する二重殻構造のタンクが用いられている。
【０００３】
また、この種のタンクは、例えば、コンクリート製の基礎版と、基礎版上に設置される金属製の内槽（貯槽）及び外槽と、内槽と外層の間に充填されて保冷機能、断熱機能を発揮するウレタンフォーム、ポリイソシアヌレートフォーム、パーライトなどの保冷材（断熱材）とを備えて構成されている（例えば、特許文献１参照）。
【先行技術文献】
【特許文献】
【０００４】
【特許文献１】特開２０１４−１９４２５６号公報
【発明の概要】
【発明が解決しようとする課題】
【０００５】
ここで、水素は、従来の化石燃料と異なり、様々な原料から大量に製造可能であるとともに、燃焼時に水しか発生せず温室効果ガスを全く排出しない究極のクリーン性能を実現できるため、水素をエネルギー源として発電等に利用することが注目されている。
【０００６】
水素発電等を実用化する上で、今後、ＬＮＧやＬＰＧの貯蔵タンクのような万ｋＬオーダーの大型の液化水素用の貯蔵タンクが必要になるが、−２５３℃の超低温の液化水素を従来の貯蔵タンクにそのまま貯蔵することは難しい。このため、超低温の液化水素を万ｋＬオーダーで大量に貯蔵できるタンクが強く求められている。
【０００７】
超低温の液化水素を大量に貯蔵できるタンクとして、液化水素を貯蔵する内槽と、内槽を囲繞して内包するように配設される外槽と、内槽と外槽の間に設けられる真空断熱層とを備え、且つ、外槽が、コンクリート部と、該コンクリート部の表面に一体に不透気材を設けてなるライナー部（鋼板など）とを備えるとともに、該ライナー部をコンクリート部の外面側に配設した構造のタンクが知られている。
【０００８】
しかしながら、ライナー部を外槽の外面側に配設した際に、タンクの基礎が杭基礎の場合、ライナー部と杭との取り合い部分においてライナーの性能が低下する虞があった。
【０００９】
そこで、本発明は、上記事情に鑑みてなされたものであり、杭基礎構造を有し、液化水素のような超低温の液体を万ｋＬオーダーの大量であっても好適に貯蔵することが可能な低温液体貯蔵用タンクを提供することを目的とする。
【課題を解決するための手段】
【００１０】
上記の目的を達するために、この発明は以下の手段を提供している。
【００１１】
本発明の低温液体貯蔵用タンクは、低温液体を貯蔵する内槽と、内槽を囲繞して内包するように配設される外槽と、前記内槽と前記外槽の間に設けられる真空断熱層とを備え、且つ、前記外槽が、コンクリート部と、該コンクリート部の表面に一体に不透気材を設けてなるライナー部とを備えるとともに、前記ライナー部を前記コンクリート部の前記真空断熱層と反対側の外面側に配設して構成され、前記外槽の底版の下方および側方に、該底版を囲繞する支持底版が設けられ、前記支持底版は、杭基礎を介して構築されていることを特徴としている。
【００１２】
また、本発明の低温液体貯蔵用タンクにおいては、前記不透気材が鋼板であることが望ましい。
【００１３】
本発明の低温液体貯蔵用タンクによれば、真空断熱層を真空状態にすると、多孔体であるコンクリート部（コンクリート体）の間隙中の空気も抜け、コンクリート部の外側に設けられたライナー部（不透気材）にコンクリート部に吸着する力が働く。
また、コンクリート部にひび割れが生じてしまった場合においても、真空断熱層を真空状態にすると、ひび割れを通じてコンクリート部の空気が抜け、コンクリート部の外側に設けられたライナー部にコンクリート部に吸着する力が働くことになる。
【００１４】
これにより、真空断熱層を真空にするとともに、ライナー部の不透気材がコンクリート部の外面に自動的に密着することになる。
【００１５】
よって、本発明の低温液体貯蔵用タンクにおいては、ライナー部の不透気材が真空断熱層を真空にするとともにコンクリート部の外面に密着することにより、コンクリート部の内側にライナー部を設けた場合と比較し、ライナー部の不透気材をコンクリート部に接合するためのアンカーなどの本数を大幅に削減することができるとともに、気密性を好適に確保することが可能になる。
【００１６】
また、コンクリート部の外面にライナー部の鋼板などの不透気材を接合するため、コンクリート部の内面に鋼板などの不透気材を接合する場合と比較し、この不透気材の取り付け作業を容易にすることができ、施工性を大幅に向上させることも可能になる。
【００１７】
また、真空断熱層を真空にするとともに、ライナー部の不透気材がコンクリート部の外面に自動的に密着するため、不透気材をコンクリート部の内面に接合する場合のように真空の負圧によってアンカーの間の部分が湾曲変形したり、座屈変形することがない。また、不透気材に剥がれが生じることもない。これにより、厚さが薄い鋼板を不透気材として採用しても信頼性の高いライナー部を形成することが可能になる。
【００１８】
さらに、本発明の低温液体貯蔵用タンクにおいては、杭基礎を介して支持底版が設けられ、該支持底版に支持されるように外槽が設けられている。つまり、外槽と杭とが直接接合される構成ではないため、外槽に設けられたライナー部に影響することなくタンクを構築することができる。つまり、杭を用いてタンクを構築した場合においても信頼性の高いライナーを形成することができる。
【発明の効果】
【００１９】
したがって、杭基礎構造を有し、液化水素のような超低温の液体を万ｋＬオーダーの大量であっても好適に貯蔵することが可能な低温液体貯蔵用タンクを提供することができる。
【図面の簡単な説明】
【００２０】
【図１】本発明の一実施形態に係る低温液体貯蔵用タンクを示す断面図である。
【図２】本発明の一実施形態に係る低温液体貯蔵用タンクを示す断面図であり、図１のＡ部を拡大した図である。
【図３】本発明の一実施形態に係る低温液体貯蔵用タンクを示す断面図であり、図１のＢ部を拡大した図である。
【発明を実施するための形態】
【００２１】
以下、図１から図３を参照し、本発明の一実施形態に係る低温液体貯蔵用タンクについて説明する。ここで、本実施形態は、例えば液化水素などの超低温液体の貯蔵に用いて好適なタンクに関するものである。
【００２２】
本実施形態の低温液体貯蔵用タンク１は、図１及び図２に示すように、低温液体Ｌを貯蔵する金属製（鋼板）の内槽２と、内槽２を囲繞するように設けられる外槽３と、内槽２と外槽３の間に設けられ、断熱性能を確保するための真空断熱層４と、を備えて構成されている。
【００２３】
真空断熱層４は、空気を吸引するなどして真空状態で保持されるとともに、例えば粉末／固体状の輻射シールド材５を充填して構成されている。なお、輻射シールド材５は、例えば低温液体Ｌが接触することによって内槽２の鋼板が原子／分子レベルで振動し、この振動に伴う伝熱作用（電磁波）を吸収／遮断して断熱性が低下することを防止するためのものである。
【００２４】
次に、本実施形態の外槽３は、例えば鉄筋コンクリート造の底版部、側壁部、屋根部を備えたコンクリート部（コンクリート体）６と、コンクリート部６の表面に、この表面全体を被覆するように一体に取り付けられた鋼板などの不透気材からなるライナー部７とを備えて構成されている。
【００２５】
ここで、内槽２とコンクリート部６（外槽３）との間に真空断熱層４を設ける場合には、外槽３のコンクリート部６が多孔体であるため、通常、このコンクリート部６の内面６ａ（真空断熱層４側の表面）に不透気材（気密部材）としての鋼板をアンカーなどの固定手段で固定してライナー部を設ける。
しかしながら、この場合には、真空断熱層４の負圧によってライナー部の鋼板に大きな吸引力が発生し、隣り合うアンカー間の鋼板部分が湾曲変形したり、座屈変形するおそれが生じる。また、鋼板の剥がれが生じるおそれもある。
【００２６】
これに対し、本実施形態の低温液体貯蔵用タンク１においては、図２（図１参照）に示すように、外槽３のコンクリート部６の外面６ｂに鋼板などの不透気材をアンカーなどの固定手段で固定してライナー部７を設けるようにする。なお、ライナー部７は、例えば複数の鋼板を溶接等によって接合し、内側の気密性を確保できるように形成する。
【００２７】
次に、図１に示すように、本実施形態の低温液体貯蔵用タンク１は、地盤Ｇに配された複数の杭１１を介して構築されている。つまり、低温液体貯蔵用タンク１は、杭基礎構造１０を有している。
【００２８】
図１，図３に示すように、杭１１の上端部（先端部）１１ａは、支持底版２１に一部が入り込むようにして接合されている。本実施形態では、杭１１と支持底版２１は鉄筋コンクリート造で構成されている。なお、杭１１および支持底版２１の構造については、鉄筋コンクリート造以外の構造であってもよい。
【００２９】
支持底版２１は、杭１１と接合される底板部２２と、底板部２２の周縁部から鉛直上方に立ち上がるように形成された側板部２３と、を有している。
【００３０】
底板部２２は、外槽３の底版８が載置可能な大きさの平板状に形成されている。側板部２３は、外槽３の底版８の側面を覆う高さで形成されている。
【００３１】
そして、支持底版２１の底板部２２と側板部２３とで形成された凹部２４に、外槽３の底版８が載置されるようにして低温液体貯蔵用タンク１が配設されている。
【００３２】
このように構成した本実施形態の低温液体貯蔵用タンク１においては、真空断熱層４を真空状態にすると、多孔体であるコンクリート部６の間隙中の空気も抜け、コンクリート部６の外側に設けられたライナー部７にコンクリート部６に吸着する力が作用する。また、コンクリート部６にひび割れが生じた場合であっても、ひび割れを通じてコンクリート部６の空気が抜け、ライナー部７にコンクリート部６に吸着する力が作用する。
【００３３】
これにより、真空断熱層４を真空にするとともに、ライナー部７の鋼板（不透気材）がコンクリート部６の外面６ｂに自動的に密着することになる。
【００３４】
よって、本実施形態の低温液体貯蔵用タンク１においては、ライナー部７の鋼板が真空断熱層４を真空にするとともにコンクリート部６の外面６ｂに密着するため、コンクリート部６の内側にライナー部を設けた場合と比較し、ライナー部７の鋼板をコンクリート部６に接合するためのアンカーなどの本数を大幅に削減することができる。
【００３５】
また、外面６ｂに鋼板を接合することで、コンクリート部６の内面６ａに鋼板を接合する場合と比較し、鋼板の取り付け作業を容易にすることができ、施工性を大幅に向上させることも可能になる。
【００３６】
また、真空断熱層４を真空にするとともに、ライナー部７の鋼板がコンクリート部６の外面６ｂに自動的に密着するため、鋼板をコンクリート部６の内面６ａに接合する場合のように真空の負圧によって隣り合うアンカーの間の部分が湾曲変形したり、座屈変形することがない。また、鋼板に剥がれが生じることもない。これにより、厚さが薄い鋼板を採用しても信頼性の高いライナー部７を形成することが可能になる。
【００３７】
さらに、本実施形態の低温液体貯蔵用タンク１においては、杭１１を介して支持底版２１が設けられ、該支持底版２１に支持されるように外槽３が設けられている。つまり、外槽３と杭１１とが直接接合される構成ではないため、外槽３に設けられたライナー部７に影響することなくタンク１を構築することができる。つまり、杭１１を用いてタンク１を構築した場合においても信頼性の高いライナーを形成することができる。
そして、上記構成を備えることにより、地震時などに低温液体貯蔵用タンク１に作用する水平力に抵抗でき、かつ外槽３の外面全面にライナー部７を設けることができる。
【００３８】
したがって、本実施形態の低温液体貯蔵用タンク１によれば、杭基礎構造１０を有し、液化水素のような超低温の液体を万ｋＬオーダーの大量であっても好適に貯蔵することが可能になる。
【００３９】
以上、本発明に係る低温液体貯蔵用タンクの一実施形態について説明したが、本発明は上記の実施形態に限定されるものではなく、その趣旨を逸脱しない範囲で適宜変更可能である。
【００４０】
例えば、本実施形態では、本発明に係る低温液体貯蔵用タンクが液化水素を貯蔵するものとして説明を行ったが、勿論、ＬＮＧ、ＬＰＧ等の他の低温液体の貯蔵に本発明に係る低温液体貯蔵用タンクを適用しても構わない。
【００４１】
本実施形態のライナー部７の不透気材が鋼板であるものとして説明を行ったが、不透気材は気密性を確保することが可能であれば特にその材質を限定する必要はなく、例えば樹脂などを材質としたもの（ＦＲＰ板（樹脂繊維複合板）など）であってもよい。
【００４２】
また、真空断熱層４に粉末状又は固体状の輻射シールド材５を充填して輻射による伝熱を防止（抑止）するものとしたが、板状の輻射シールド材を真空断熱層４の中間部分に設置するようにしてもよい。
【００４３】
この場合には、内槽２に貯蔵した低温液体１によって内槽２が冷却されることで原子／分子レベルの振動が発生し、この振動（電磁波）によって輻射が生じた場合であっても、真空断熱層４の中間部に配設された板状の輻射シールド材によって輻射を遮断することができる。これにより、確実に真空断熱層４によって伝熱作用を遮断することができ、信頼性の高い低温液体貯蔵用タンク１を実現することが可能になる。
【００４４】
また、板状の輻射シールド材を配設した状態の真空断熱層４の大部分が空間のままで保持され、この空間部分が真空状態になる。このため、従来の粉末状／固体状の輻射シールド材５を充填した場合と比較し、容易に真空断熱層４の真空度を高めることができ、且つ容易に真空度を維持することが可能になる。
【００４５】
さらに、板状の輻射シールド材を採用すると、真空断熱層４内に粉末状／固体状の輻射シールド材５を充填する場合と比較し、容易にメンテナンスを行うことが可能になる。
【符号の説明】
【００４６】
１    低温液体貯蔵用タンク
２    内槽
３    外槽
４    真空断熱層
５    粉末状／固体状の輻射シールド材
６    コンクリート部
６ａ  内面
６ｂ  外面
７    ライナー部
８    底版
１１  杭
２１  支持底版
Ｌ    低温液体
【図１】
2019199949.tif 000003
【図２】
2019199949.tif 000004
【図３】
2019199949.tif 000005